(57)【特許請求の範囲】
【請求項１】
同一方向の回転軸線を有する互いに別個の第１の回転シャフト及び第２の回転シャフトと、
前記第１の回転シャフトに取付けられ且つ前記回転軸線を包囲するケージと、
前記第２の回転シャフトに取付けられ、前記ケージの内部を前記第２のシャフトから半径方向に延び、永久磁石を収容している磁石ロータと、
前記ケージによって移動可能に支持され、前記磁石ロータの両端において前記永久磁石からエアギャップだけ間隔を隔てた２つの導体ユニットと、
前記エアギャップを選択的に変えるために、前記ケージ及び前記磁石ロータに対する前記導体ユニットの軸線方向配置を軸線方向に制御するためのギャップ調整手段と、を有し、
前記ギャップ調整手段は、前記ケージと連結され、前記ギャップ調整手段は、その回転に応じて、前記導体ユニットを前記永久磁石に対して選択的に移動させるように調整可能である、調整可能な磁気カプラ。
【請求項２】
前記ケージは、前記軸線と平行に延びる細長い部材を含み、前記導体ユニットは、前記細長い部材に摺動自在に取付けられる、請求項１に記載の磁気カプラ。
【請求項３】
前記ギャップ調整手段は、前記ケージと前記導体ユニットとの間に延びる調整ボルトを含み、この調整ボルトを回転させて前記導体ユニットを前記細長い部材に沿って位置決めすることによって、エアギャップを変化させるようになっている、請求項２に記載の磁気カプラ。
【請求項４】
前記ギャップ調整手段は、前記導体ユニット間に延びると共にエアギャップを変化させるために前記導体ユニットを前記磁石ロータに近づけたりそれから遠ざけたりするように一斉に反対方向に選択的に移動させるターンバックルを含む、請求項１に記載の磁気カプラ。
【請求項５】
前記ギャップ調整手段は、反対方向のねじ山を有するねじ部分を備えた調整ボルトユニットを含み、前記ねじ部分は、前記調整ボルトユニットの回転に応答して前記導体ユニットを一斉に反対方向に移動させるように前記導体ユニットと相互に作用する、請求項２に記載の磁気カプラ。
【請求項６】
前記ケージは、前記第１の回転シャフトに取付けられた取付けディスクと、この取付けディスクから軸線方向に間隔を隔てた取付けリングと、前記磁石ロータの半径方向外方で前記取付けディスクと前記取付けリングとの間に延びるスペーサ部材と、を有し、前記導体ユニットは、前記スペーサ部材に摺動自在に取付けられている、請求項１に記載の磁気カプラ。
【請求項７】
前記ギャップ調整手段は、前記取付けディスクと前記導体ユニットの一方との間に延びるギャップ調整ボルトの第１の組と、前記取付けリングと前記導体ユニットの他方との間に延びるギャップ調整ボルトの第２の組と、を有する、請求項６に記載の磁気カプラ。
【請求項８】
前記ギャップ調整ボルトの第１の組は、前記取付けディスクとねじ係合する係合部を有し、前記ギャップ調整ボルトの第２の組は、前記取付けリングとねじ係合する係合部を有する、請求項７に記載の磁気カプラ。
【請求項９】
１つの回転軸線を有する互いに別個の第１の回転シャフト及び第２の回転シャフトと、
前記第１の回転シャフトに取付けられ且つ前記回転軸線を包囲する取付けユニットと、
前記第２の回転シャフトに取付けられ、永久磁石を収容している磁石ロータと、
前記取付けユニットによって摺動自在に支持され、前記磁石ロータの両端において前記永久磁石からエアギャップだけ間隔を隔てた導体ユニットと、
前記取付けユニットに結合された調整ボルトユニットと、を有し、前記調整ボルトユニットは、前記導体ユニットを前記取付けユニット及び前記磁石ロータに対して軸線方向に選択的に移動させ、それにより、前記エアギャップの幅を制御するように前記導体ユニットに係合する、調整可能な磁気カプラ。
【請求項１０】
前記調整ボルトユニットは各々、前記導体ユニットと回転式に相互に嵌合するヘッドと、前記取付けユニットとねじ式に相互に嵌合する嵌合部を有するシャンクと、を有し、前記調整ボルトを回転させることにより、前記導体ユニットの軸線方向移動を生じさせる、請求項９に記載の磁気カプラ。
【請求項１１】
前記調整ボルトユニットは各々、それぞれの前記導体ユニットとねじ式に相互に嵌合する、間隔を隔て且つ反対方向の２つのねじ部分を有し、前記２つのねじ部分は、互いに反対方向のねじであり、それにより、前記調整ボルトユニットの回転により、前記導体ユニットを一斉に反対方向に移動させる、請求項９に記載の磁気カプラ。
【請求項１２】
１つの回転軸線を有する同心の且つ互いに別個の第１の回転シャフト及び第２の回転シャフトと、
前記第１の回転シャフトに取付けられ且つ前記回転軸線を包囲するケージと、
前記第２のシャフトに取付けられ、前記ケージの内部を半径方向に延び、前記回転軸線と平行関係をなして反対方向に向いた２組の極を構成する複数の永久磁石を有する磁石ロータと、
軸線方向移動のために前記ケージに摺動自在に取付けられ、前記２組の極のそれぞれからエアギャップだけ間隔を隔てた導電エレメントを前記ケージ内に有する第１の導体ユニット及び第２の導体ユニットと、
前記ケージと結合された回転式ギャップ制御装置と、を有し、
前記回転式ギャップ制御装置は、その回転に応じて前記第１の導体ユニット及び前記第２の導体ユニットを前記磁石ロータ及び前記ケージに対して軸線方向に且つ反対方向に選択的に移動させるように前記第１の導体ユニット及び前記第２の導体ユニットに係合する、調整可能な磁気カプラ。
【請求項１３】
前記ギャップ制御装置は各々、前記ケージ及び前記導体ユニットのうちの一方に係合する、請求項１２に記載の磁気カプラ。
【請求項１４】
前記ギャップ制御装置は、前記第１の導体ユニットと前記第２の導体ユニットとの間を延び、各々が反対方向のねじ山を有することによって作動する、請求項１２に記載の磁気カプラ。
【請求項１５】
前記ギャップ制御装置の各々は、ターンバックルからなる、請求項１４に記載の磁気カプラ。
【請求項１６】
前記反対方向のねじ山は、前記第１の導体ユニット及び前記第２の導体ユニットの相補的なねじ山と互いに螺合する、請求項１４に記載の磁気カプラ。
【請求項１７】
１つの回転軸線を有する同心の且つ互いに別個の第１の回転シャフト及び第２の回転シャフトと、
前記第１の回転シャフトに取付けられ且つ前記回転軸線を包囲するケージと、
前記第２の回転シャフトに取付けられ、前記ケージの内部を半径方向に延び、前記回転軸線と平行関係をなして反対方向に向いた２組の極を構成する複数の永久磁石を有する磁石ロータと、
軸線方向移動のために前記ケージに摺動自在に取付けられ、前記２組の極のそれぞれからエアギャップだけ間隔を隔てた導電エレメントを前記ケージ内に有する第１の導体ユニット及び第２の導体ユニットと、
前記ケージと結合され、且つ、前記回転軸線と平行に前記第１の導体ユニットと前記第２の導体ユニットとの間に延びる回転式ギャップ調整装置と、を有し、
前記ギャップ調整装置は、その回転に応答して前記第１の導体ユニット及び前記第２の導体ユニットを一斉に反対方向に移動させるように動作する、調整可能な磁気カプラ。
【請求項１８】
前記ギャップ調整装置は、反対方向のねじ山を有するねじ部分を備えた調整ボルトユニットを有し、前記ねじ部分は、前記調整ボルトユニットの回転に応答して、前記第１の導体ユニット及び前記第２の導体ユニットを一斉に反対方向に移動させるように作用する、請求項１７に記載の磁気カプラ。
【請求項１９】
同軸の回転軸線を有する互いに別個の２つのシャフトと、
２組の磁極を有する第１のグループと、
前記２組の磁極のそれぞれの組から、それぞれのエアギャップだけ間隔を隔てた２つの導体エレメントを有する第２のグループと、
前記シャフトの一方に取付けられると共に、前記２つのグループの一方を支持し且つ軸線方向に間隔を隔てた２つの取付けエレメントを有するケージと、
前記シャフトの他方に取付けられ、前記２つのグループの他方を支持するロータと、
前記ケージと結合され、前記エアギャップを変化させるように前記２つのグループの一方を前記取付けエレメントに対して軸線方向に移動させるための機構と、を有し、前記機構は、その回転に応じて、前記エアギャップを調整可能である、調整可能な磁気カプラ。
【請求項２０】
前記第１のグループは、前記ロータを貫通する磁石によって構成され、前記第２のグループは、前記ケージに取付けられている、請求項１９に記載の調整可能な磁気カプラ。
【請求項２１】
前記第２のグループは、前記ロータの両側に取付けられ、前記第１のグループは、軸線方向に間隔を隔てた２組の磁石によって構成され、これらの磁石は、前記機構と作動的に関連するように前記ケージによって支持されている、請求項１９に記載の調整可能な磁気カプラ。
【請求項２２】
前記機構はねじ作動装置である、請求項１９に記載の調整可能な磁気カプラ。
【請求項２３】
ケージによって支持される方の前記グループは、ケージに取付けられ且つ前記取付けエレメント間に延びる摺動エレメントに摺動自在に取付けられ、前記機構は、前記取付けエレメントを貫通するねじ機構である、請求項１９に記載の調整可能カプラ。
【請求項２４】
前記ねじ機構は、ターンバックル型のねじ機構である、請求項２３に記載の調整可能カプラ。
【請求項２５】
前記ギャップ調整手段は、前記エアギャップを独立に変化させるように構成される、請求項１に記載の調整可能な磁気カプラ。
【発明の詳細な説明】
【０００１】
〔技術分野〕
本発明は、永久磁石ロータと、この永久磁石とエアギャップだけ分離した導体ロータとを有する磁気カプラに関する。
【０００２】
〔発明の背景〕
米国特許第 5,477,094号に開示されている一般的な型式の永久磁石カプラは、入力シャフトと出力シャフトとの間で動力を伝達するように相互作用する磁石ロータと導体ロータとを有している。磁石ロータは、円周方向に間隔を隔てた複数の永久磁石を有し、これらの永久磁石は、磁石ロータの軸線方向両側にある導体ロータが有する導電即ち導体エレメントからエアギャップだけ分離した正反対の磁極を有している。始動時の「ソフトスタート」を獲得したり変化させたりするために、多くの適用例について、カプラの取付け後、エアギャップが容易に調整可能であることが好ましい。、用語「ソフトスタート」は、始動中、出力シャフトが速度０から最大速度まで増速するときに、最初、磁石ロータと導体ロータとの間の顕著な回転スリップがあり、その回転スリップが徐々に減少して、数秒のうちに最小になることを意味する。カプラが所定負荷に釣り合っているならば、所定負荷を駆動させるのにより小さい始動トルクしか要求されず、その結果、始動中、ソフトスタートが経験される。また、ソフトスタートが行われるとき、動力伝達系に対する衝撃がより少ない。
【０００３】
エアギャップの調整を準備しておくことより、与えられた磁気カプラが種々の負荷適用例において最大性能を発揮し得るようにすることを、磁石ロータの磁石の数を変える必要なしに可能にする。組み付け時の負荷が変化しても、そのような調整を準備しておくことにより、カプラの組み付け後にカプラのソフトスタートを現場で調整することを、カプラを取外すことなしに可能にする。
【０００４】
〔発明の概要〕
本発明は、カップリングの組み付け後に現場で利用するのが簡単なエアギャップ調整装置を提供することを目的としている。本発明によれば、磁石ロータが第１のシャフトに取付けられ、磁石ロータを包囲するケージが、第１のシャフトと同心の第２のシャフトに取付けられる。好ましい実施形態では、磁石ロータの両端からエアギャップだけ間隔を隔てた一対の導電ユニットが、エアギャップを変化させるために、ケージに摺動自在に取付けられる。調整ボルト又はその他の調整装置が、そのの回転に応じてエアギャップを軸線方向に変化させるようにケージと導電ユニットとの間を軸線方向に延び、それにより、導電ユニットをケージに対して軸線方向に移動させる。
【０００５】
〔発明の詳細な説明〕
図面を参照すれば、ケージ１０がハブ１４によって入力シャフト１６に取付けられ、磁石ロータ１２が入力シャフト１６と同心の出力シャフト１８にハブ１５によって取付けられている。ケージ１０は、ボルト１９によってハブ１４に固着された取付けディスク１８と、周方向に間隔を隔てた一組のスペーサボルト２２によって取付けディスク１８と平行に且つそれと間隔を隔てた関係に保持されている環状取付けプレート２０とを有している。スペーサボルトの各々は、中央シャンク２２ａと、この中央シャンク２２ａと環状ショルダー２２ｄのところで連結した終端ねじ部分２２ｂ、２２ｃとを有している。環状ショルダー２２ｄは、取付け部材１８、２０の外周に隣接しているねじ孔２４と丸い端ぐり孔２５との接続部にある環状座２３に係合している。ナット２６が、スペーサボルト２２と取付け部材１８、２０とを剛性ユニットとして互いに保持するように、スペーサボルト２２の端ねじ部分２２ｂ、２２ｃにねじ込まれている。
【０００６】
一組の段付きブッシング２７ａ、２７ｂの各々が、一対の導体ユニット２８、２９用の摺動体として機能するようにスペーサボルトのシャンク２２aを受入れ、一対の導体ユニット２８、２９は、好ましくは銅の一対の導電リング３０a、３０ｂと、好ましくは軟鋼の一対の磁気バッキングリング３１a、３１ｂとを有している。導電リングは、ねじ３２によってバッキングリングに固着されており、ねじ３２は、バッキング部材３１ａ、３１ｂにねじ込まれているシャンクと、磁石ロータ１２に隣接したリング面と面一でリング３０ａ、３０ｂに着座しているベベルヘッドとを有している。リング３０ａとリング３１ａ及びリング３０ｂとリング３１ｂの相補的なボア３３ａ及び３４ａは、ブッシング２７ａ、２７ｂを収容している。
【０００７】
バッキングリング３１ａ、３１ｂは、ケージ１０の取付け部材１８、２０を貫通するねじ孔３７と整列するように構成されたベベル孔３６を有している。ベベルヘッド３８を有する調整ボルト３８がねじ孔３７にねじ込まれており、ベベルヘッド３８は、ボルトの外端への工具の適用による回転に応答して、バッキングリング３１a、３１ｂのベベル孔３６の中で自由に回転する。工具を受入れるために、調整ボルト３８の端部は溝付きであっても良いし、凹部があっても良いし、外部が平面形状であっても良い。調整ボルト３８は、ロックナット３９対を有している。
【０００８】
調整ボルト３８のヘッドは、その上に位置する導電リング３０ａ、３０ｂによってベベル孔３６の中に保持されているので、調整ボルト３８の回転により、導体ユニット２８、２９の軸線方向移動が生じ、それにより、導電リング３０a、３０ｂと磁石ロータ１２の一組の永久磁石４２との間のエアギャップ４０、４１の幅を調整することがわかる。これらの永久磁石は、非磁気材料の磁石ロータディスク４４を貫ぬいて延びる一組の合わせ孔４３内に取付けられており、これらの孔４３は、円形パターンに配置されている。磁石ロータディスク４４は、ボルト４６によってハブ１５に取付けられている。
【０００９】
上述したカプラのハブ１４、１５はそれぞれ、ねじ４６ａによって適所に締め付けられる圧縮式カップリング４６、４６’等によって入力シャフト１６及び出力シャフト１７に固定される。カプラを入力シャフト１６-出力シャフト１７に組付ける前、ブッシング２７ａを導電リング３０ａ及びバッキングリング３１ａに挿入し、ブッシング２７ｂを導電リング３０ｂ及びバッキングリング３１、３１ｂに挿入し、次いで、導電リング３０ａをバッキングリング３１ａの上に、導電リング３０ｂをバッキングリング３１ｂの上にねじ３２によって取付けて、サブアセンブリを形成した後、バッキングリング３１、３１ｂをそれぞれ、調整ボルト３８によって取付けディスク１８及び取付けリング２０に垂直に取付ける。次に、ハブ１４と、取付けディスク１８及び導体ユニット２８からなるサブアセンブリとを入力シャフト１６に付け、リング２０及び導体ユニット２９からなるもう１つのサブアセンブリを、出力シャフト１７を緩く包囲するように出力シャフト１７の開放端の上に挿入する。次の段階で、磁石ロータユニット１２と、出力シャフト１７に取付けられているハブ１５とを組み付ける。次いで、スペーサボルト２２を、取付け部材１８、２０及びブッシング２７ａ、２７ｂを貫ぬくように端の方向に挿入し、ナット２６を付けて、ケージ１０と、このケージによって支持され且つ磁石４２からエアギャップ４０、４１だけ間隔を隔てた導体ユニット２８、２９とを組立てる。
【００１０】
入力シャフト１６を原動機によって駆動させると、磁石から発し且つ鉄のバッキング部材３１ａ、３１ｂの近傍に構成された磁束によって、導電部材３０ａ、３０ｂ内に渦電流が生ずる。導電部材３０ａ、３０ｂ内に生じた磁気効果により、磁石ロータ１２からの導体ユニット２８、２９の反発を引き起こし、その結果、導体ユニット２８、２９を回転させ、それにより、入力シャフト１６の回転に応答して、出力シャフト１７を駆動させるけれども、比較的遅い回転速度のとき、出力シャフト１７は、スリップする。始動時のスリップ及び始動後の最終スリップは、エアギャップ４０、４１の幅によって決定される。カプラが設置され且つユーザの現場で経験される特定の負荷条件の下で作動された後、調整ねじ３８によりエアギャップを調整することを可能にする。経験される作動条件について最も有利になるようにソフトスタートと動作中スリップとを微調整するために、エアギャップは、試行錯誤によって調整される。
【００１１】
ねじ３８の均等な調整を得るのを補助するために、ねじの長手方向インジケータ溝と整列するインデックスマークを、ボア３７の口の周囲から四方に延びるように支持部材１８、２０の上に記しておくのが良い。また、ゲージストリップをエアギャップ内に挿入し、同様の圧力がゲージストリップに感知されるまでボルト３８を締め付けても良い。エアギャップ４０、４１が同じ幅を有しているのが、通常、好ましいけれども、このことは、カプラの効果的な動作に本質的なものではない。
【００１２】
図２及び３は、特定の調整機構を変化させた本発明の第２の実施形態を示す。第１の実施形態と同じその他の部品には、第１の実施形態と同じ参照番号を付している。第２の実施形態では、一組の調整ボルト組立体５０が、スペーサボルト２２間に配置され且つそれらと平行関係をなして延びている。各調整ボルト組立体５０は、スリーブカプラ５３によって接合されたボルト構成要素５１-５２を有している。ボルト構成要素５１は、円筒形ヘッド部分５１ａと、中間ねじ部分５１ｂと、シャンク部分５１ｃとを有し、このシャンク部分５１ｃは、図３に示すように、例えば正方形断面が構成されるような１又は２以上の平らな側面を有するのが好ましい。同様に、ボルト構成要素５２は、円筒形ヘッド部分５２ａと、中間ねじ部分５２ｂと、シャンク部分５２ｃとを有し、このシャンク部分５２ｃは、シャンク部分５１ｃと相補的な１又は２以上の平らな側面を有するのが好ましい。ねじ部分５１ｂ−５２ｂのねじ山は、同じピッチで反対方向のものである。スリーブカプラ５３は、シャンク部分５１ｃ、５２ｃを受入れ且つそれらと互いに嵌合するように形状決めされた長手方向に貫通するボア５３aを有しており、その結果、ボルト構成要素５１−５２をスリーブカプラ５３によって互いに連結させると、ボルト構成要素５１−５２は一斉に回る。スリーブがボルトユニット５０の端の方向に移動しないように保持するために、シャンク部分５１ｃ、５２ｃの平らな側面に係合する固定ねじ５４、５４’がスリーブ５３の両端に隣接した半径方向孔にねじ込まれている。ボルト構成要素のヘッド部分５１ａ、５２ａには、Ｃ字型クリップ５６を受入れる周方向溝が形成され、ヘッド部分５１ａ、５２ａの外端は、溝付きであるか、そうでなければ、ねじ回し又は調整ボルト組立体５０を選択的に回すためのその他の工具を受入れるようになっている。
【００１３】
調整ボルト構成要素５１−５２を受入れるために、取付けディスク１８、導体ユニット２８−２９及び取付けプレート２０は、整列している孔の組を有している。導体ユニット２８−２９を貫通する孔はそれぞれ、調整ボルト構成要素のねじ部分５１ｂ、５２ｂに噛み合うように反対方向にねじ山が構成され、好ましくは、取付け部材１８、２０を貫通する孔はそれぞれ、ボルト構成要素５１−５２を摺動自在に受入れるように寸法決めされる。
【００１４】
調整ボルト組立体５０が作動位置にあるとき、調整ボルト組立体５０は、導体ユニット２８、２９にねじ込まれて貫通し、ケージ１０の取付け構成要素１８、２０を貫いて外方に延びており、ケージに対して端の方向に移動しないようにＣ字型クリップ５６によって保持されている。調整ボルトユニット５０を回すと、調整ボルト組立体の選択された回転方向に応じて、導体ユニット２８、２９が磁石ロータに向って或いは磁石ロータから遠ざかるようにスペーサ２２に沿う軸線方向移動をすることが明らかである。従って、エアギャップ４０、４１の均等な調整が、ボルト組立体５０を徐々に回転させることのみによって達成される。
【００１５】
第２の実施形態の組立体は、調整ボルト３８を取付ける段階がなくなり、スペーサボルト２２の取付けによるケージの組立体の完成後に、最終段階として、調整ボルトユニット５０を好ましくは適所にＣ字型クリップ５６で組み付けること以外、第１の実施形態と同様に組立てられる。ボルトユニット５０の組み付けは、ボルト構成要素５１を導体ユニット２８をねじ込んで貫き、導体ユニット２８をそれが取付けディスク１８に当接する最大ギャップ位置に配置することによって行うのが良く、カップリングスリーブ５３をシャンク５１ｃの上に完全に摺動させた後、同様に、導体ユニット２９をそれが取付けプレート２０２に当接する最大ギャップ位置にして、他方のボルト構成要素５２を他方の導体ユニット２９にねじ込んで貫く。ボルト構成要素５１、５２の上述の組み付け中、ボルト構成要素５１、５２を、Ｃ字型クリップ５６が取付けディスク１８及び取付けプレート２０の外面に僅かに係合するまで導体ユニット２８、２９にねじ込む。次に、スリーブ５３を隣接したシャンク５２ｃの上に途中まで端の方向に移動させ、固定ねじ５４、５４’をシャンク５１ｃ、５２ｃに締め付ける。上述の構成によれば、スリーブ５３は、ボルト構成要素５１、５２を一斉に回転させ、固定ねじ５４、５４’は、ボルト構成要素５１、５２が分離するのを防止し、Ｃ字型クリップ５６は、組立て済み調整ボルトユニット５０がケージ１０に対して端の方向に移動するのを防止する。この実施形態では、環状ショルダーが、Ｃ字型クリップ５６の箇所のボルト構成要素５１、５２の上に設けられるのが良いことが明らかである。
【００１６】
図４及び５は、ギャップ調整機構が、導体ユニット間及びスペーサボルト間に延びるターンバックルからなる第３の実施形態を示す。各ターンバックル７０は、２つの非回転ボルトシャンク７１−７２を有しており、２つの非回転ボルトシャンク７１−７２には、中央カップリングスリーブ７３にねじ込まれた対向する端ねじ部分７１ａ−７２ａが形成されている。端ねじ部分７１ａ−７２ａのねじ山は、反対方向で、スリーブ７３のボアのねじ山と相補的になっており、その結果、スリーブを回すと、スリーブを回す回転方向に応じて、シャンク７１−７２は、互いに向って或いは反対方向に一斉に移動する。ターンバックルのシャンク７１−７２を任意適当な仕方で導体ロータ２８、２９と固定係合に維持するのが良い。例えば、Ｕ字型クリップ７４がシャンク７１−７２と互いに嵌合し且つ導体ロータのリムの上に固定されるのが良い。そのような場合、Ｕ字型クリップ７４は、シャンク７１−７２の溝と互いに嵌合する二又レッグ７４ａ、７４ｂを有するのが良い。シャンクの溝付き部分は、図５に示すように、クリップレッグ７４ａ及び７４ｂの二又部の平らな内縁７４ｃが係合する平面を構成する正方形断面を有するのが良い。ねじ７６が、Ｕ字型クリップの中央ウエブ７４ｄを貫いて延び、Ｕ字型クリップ７４とターンバックル７０とを適所に固定するように導体ロータのリムにねじ込まれている。スリーブ７３は、ターンバックルの伸縮を調整してエアギャップ４０−４１を広げたり狭めたりするために、外面形状が調整用レンチを受入れるための六角形であったり、スリーブを回すための工具を受入れる半径方向孔を備えているのが好ましい。
【００１７】
２つの導体エレメント３０ａ−３０ｂ間に配置された磁石ロータを有するのが好ましいけれども、ケージ１０が導体エレメントの代わりに２つの磁石ロータを有しても良いし、磁石ロータ１２の代わりに単一の導体ロータが設けられていても良い。この場合、単一の導体ロータは、ボルト４６によってハブ１５に固着された鉄製ディスクの両側に取付けられた２つの導体リングを有するのが好ましい。
【００１８】
上述のとおり、本発明の特定の実施形態を例示の目的で説明したけれども、種々の変更例を、本発明の精神及び範囲から逸脱することなしに構成できることは明らかである。従って、本発明は、特許請求の範囲以外によって限定されない。
【図面の簡単な説明】
【図１】  本発明の第１の実施形態を具体化するカプラの回転軸線における断面図である。
【図２】  図１と同様の第２の実施形態の断面図である。
【図３】  図２の線３−３における詳細断面図である。
【図４】  本発明の第３の実施形態を示すカプラの断面図である。
【図５】  図４の線５−５における詳細横断面図である。
【図１】
0004843754.tif 000002
【図２】
0004843754.tif 000003
【図３】
0004843754.tif 000004
【図４】
0004843754.tif 000005
【図５】
0004843754.tif 000006